(57)【要約】【課題】クロストークを低減させることを可能にした画像符号化装置を提供する。【解決手段】撮像装置から得られた映像信号をディジタル画像データに変換し、上記ディジタル画像データを符号化し出力する画像符号化装置において、中央演算装置と各デバイスとが少なくともアドレスバス及びデータバスで接続され、上記アドレスバス及びデータバスの各信号線をそれぞれ並行に配置し、隣接する信号をそれぞれ異なるタイミングで変化する信号とする。例えば、アドレスバスの信号とデータバスの信号とを隣接させる。【選択図】  図４
2004348527.tif 000002
【特許請求の範囲】
【請求項１】
撮像装置から得られた映像信号をディジタル画像データに変換し、上記ディジタル画像データを符号化し出力する画像符号化装置において、中央演算装置と各デバイスとが少なくともアドレスバス及びデータバスで接続され、上記アドレスバス及びデータバスの各信号線をそれぞれ並行に配置し、隣接する信号をそれぞれ異なるタイミングで変化する信号としたことを特徴とする画像符号化装置。
【請求項２】
請求項１記載の画像符号化装置において、アドレスバスの信号とデータバスの信号とを上記異なるタイミングで変化する信号としたことを特徴とする画像符号化装置。
【請求項３】
請求項１記載の画像符号化装置において、アドレスバスの上位ビットの信号とそれ以外の信号とを上記異なるタイミングで変化する信号としたことを特徴とする画像符号化装置。
【発明の詳細な説明】
【０００１】
【発明の属する技術分野】
本発明は、画像符号化装置に関し、特に、クロストークの低減を考慮した画像符号化装置に関するものである。
【０００２】
【従来の技術】
コンピューターなど中央演算装置（以下、ＣＰＵと称す。）を用いる装置の処理速度の向上は著しいものがある。これに伴いメモリなど周辺装置へのアクセス速度も大きくなり、信号の反射やクロストークなどの影響により処理能力や性能、実装などが制限されることがある。信号の反射についてはインピーダンスの整合などの対策がとられるが、容量結合や誘導結合におけるクロストークは、実装位置の制限や、実装面積の低減化、処理速度の高速化の妨げとなっている。
【０００３】
なお、電子機器の部品を実装した装置において、周辺デバイス間のプリント配線を最短でしかも周辺回路と交差及び並行配線としないことによりクロストークを低減可能な装置が提案されている（例えば、特許文献１参照）。
【０００４】
【特許文献１】
特開平１０−３２１７９４号公報
【０００５】
【発明が解決しようとする課題】
しかしながら、ＣＰＵの処理速度の向上に伴い、３０フレーム／秒の画像符号化処理も可能となってきた。また、装置の小型化でより高密度の実装設計も行われている。これに伴い隣り合う信号ラインが互いに大きな影響を及ぼすことがある。特に、画像符号化装置ではアナログの映像信号とディジタル信号が混在し、ディジタル系で発生する妨害波が映像信号に影響し、ノイズが重畳した画像として表示されることがある。
【０００６】
本発明の目的は、クロストークを低減させることを可能にした画像符号化装置を提供することにある。
【０００７】
【課題を解決するための手段】
本発明の画像符号化装置は、撮像装置から得られた映像信号をディジタル画像データに変換し、上記ディジタル画像データを符号化し出力する画像符号化装置において、中央演算装置と各デバイスとが少なくともアドレスバス及びデータバスで接続され、上記アドレスバス及びデータバスの各信号線をそれぞれ並行に配置し、隣接する信号をそれぞれ異なるタイミングで変化する信号とするよう構成される。
【０００８】
また、本発明の画像符号化装置において、アドレスバスの信号とデータバスの信号とを上記異なるタイミングで変化する信号とするよう構成される。
【０００９】
また、本発明の画像符号化装置において、アドレスバスの上位ビットの信号とそれ以外の信号とを上記異なるタイミングで変化する信号とするよう構成される。
【００１０】
【発明の実施の形態】
以下、本発明の実施の形態について、図面を参照しながら説明する。
【００１１】
図１は、本発明の画像符号化装置の概略構成を示すブロック図である。ＣＰＵ２の動作プログラムはＲＯＭ６に格納されており、動作初期時にＲＯＭ６からＲＡＭ５に転送される。ＣＰＵ２は、データバス、アドレスバス等のバス７を介して画像変換部４、ＲＡＭ５、ＲＯＭ６に接続され、各々の機能を制御して画像符号化装置１を実現する。
【００１２】
ここで、画像復号化装置１に入力された映像信号はまずＡ／Ｄ変換部３に入力され、ディジタル画像データに変換され出力される。Ａ／Ｄ変換部３から出力されたディジタル画像データは画像変換部４に入力され、画像サイズの変換処理等が施されＲＡＭ５に格納される。格納されたデータはＣＰＵ２により符号化処理され、符号化画像データとして外部へ出力される。
【００１３】
ここで、画像データのデータ量は大きく、ＣＰＵ２の画像変換部４およびＲＡＭ５に対するアクセル頻度は非常に大きく、またＣＰＵ２は高い処理能力が必要なことから、例えば、６４ビット幅のデータバスが必要とする場合が多い。また、画像データのデータ量の大きさから必要とするアドレスバスも大きくなる。
【００１４】
図２は、ＣＰＵ２と、ＣＰＵ２に接続されるデバイス（ＲＡＭ５やＲＯＭ６等。ここでは、デバイス−１、デバイス−２、デバイス−３と称する。）の実装レイアウトパターンを示す。各デバイスはＣＰＵ２を中心にその周辺に配置される。
【００１５】
また、配線パターンはスター接続にすると信号の分岐が大きくなり、その分岐長を考慮しなければ信号の反射による影響が大きくなるため、実装面積の低減を図りたい場合やファンアウトが多い場合では図２に示される配線パターンのように分岐のない直列接続パターンとすることが一般的である。
【００１６】
ここで、クロストークの発生は互いに隣接する信号線の信号変化に伴うため、容量性結合と誘導性結合により隣接する信号線の信号のエッジレート（立ち上がり速度）が早くなるに従ってクロストークは大きくなる。また、隣接する信号線の信号の変化タイミングが同じであれば、バス全体に及ぼすクロストークの影響もより大きくなる。
【００１７】
一般的に、ＣＰＵ２とＣＰＵ２に接続されるデバイス間は、アドレスバス等を介してアクセス制御信号を用いて通信を行う。ここで、アクセス制御を実現する各信号線の信号の変化タイミングは、データバスについて見れば信号の変化は同じタイミングであり、同様にアドレスバスについても同じタイミングとなる。しかし、アドレスバスとデータバスについて見ると信号変化のタイミングは異なっている場合が多い。したがって、このようなタイミングの異なる信号を隣接する互いの信号とすることでクロストークを低減させることが可能である。
【００１８】
図３は、アドレスバスとデータバスの信号がビット列の並び順通りに並べられている場合における各信号のタイミングを示す。これを図４に示すように、アドレスバスの信号とデータバスの信号とを交互に並べると、隣接する互いの信号の変化タイミングは図３に比べ異なるタイミングとなる場合が多くなる。
【００１９】
また、ＣＰＵ２のアドレス変化やデータ変化は上位ビットから下位ビットが同じ頻度で変化するとは限らず、下位ビットだけ頻繁に変化する場合等がある。この場合、下位ビットと上位ビットを交互に、又はランダムに入れ替えることによりタイミングの異なる信号が隣接する場合が増加し、クロストークを低減させることが可能である。
【００２０】
例えば、一般的にアドレスバスについては、メモリ空間内の下位ビットの変化が大きくメモリ空間内の上位ビットの変化は少ない。したがって、変化の少ない上位ビットのアドレスバスの信号をデータバスや下位ビットのアドレスバスの信号の間に配置することで容量結合によるクロストークを低減することができる。
【００２１】
また、誘導性結合についてもレベル変化の少ない上位ビットのアドレスバスの信号をデータバス下位ビットのアドレスバスの信号の間に配置することで、エッジレートの高い信号と隣接する信号とが離れた、つまり信号線間の距離が離れた状態となり、クロストークを低減することができる。
【００２２】
図５は、アドレスバスの上位ビットと下位ビットを交互に入れ替えた場合における各信号のタイミングを示す。このように、隣接する互いの信号の変化タイミングは異なるものとなる。
【００２３】
図６は、各信号線の配線パターンを変えた様子を示す。図２に示した配線パターンでは、バス７の信号線はＡ（アドレスバス）１、Ａ２、Ｄ（データバス）１、Ｄ２の順序で並んでいたが、図６に示す配線パターンでは、Ａ１、Ｄ１、Ａ２、Ｄ１の順序で並んでおり、順序が変わっている。これにより、図３に示した信号の並びの状態から、図４に示した信号の並びの状態とすることができる。
【００２４】
ただし、図６に示したように、バスの信号線７の配線位置を物理的に変更せずとも、ＣＰＵ２やデバイスの内部に切り替えスイッチを設け、各信号線を流れる信号を変えることもできる。また、そのような切り替えスイッチは、ＣＰＵ２によるソフトウェア的な処理により実現できるのは言うまでもない。
【００２５】
なお、上記の実施の形態は一例示にすぎず、本発明を何ら限定するものではない。したがって本発明は、その要旨を逸脱しない範囲において種々の改良、変形が可能である。例えば、画像符号化装置に限らず、バスの信号の並びを変えることによりクロストークの影響を低減させることが可能な種々の装置に対しても本発明の内容を適用することが可能である。
【００２６】
【発明の効果】
ディジタル系で発生する妨害波がアナログ系の映像信号への重畳を低減し、表示画像のノイズを低減することができる。また、各並行パターンからのクロストークノイズが低減され、高速波形歪みを減らすことができる。
【図面の簡単な説明】
【図１】本発明の画像符号化装置の概略構成の一実施例を示すブロック図である。
【図２】本発明の実装レイアウトパターンの一実施例を示す図である。
【図３】本発明のバスの隣接する各信号線の変化タイミングの一例を示す図である。
【図４】本発明のバスの隣接する各信号線の変化タイミングの一例を示す図である。
【図５】本発明のバスの隣接する各信号線の変化タイミングの一例を示す図である。
【図６】本発明の実装レイアウトパターンの一実施例を示す図である。
【符号の説明】
１：画像符号化装置、２：ＣＰＵ、３：Ａ／Ｄ変換部、４：画像変換部、５：ＲＡＭ、６：ＲＯＭ、７：バス
【図１】
2004348527.tif 000003
【図２】
2004348527.tif 000004
【図３】
2004348527.tif 000005
【図４】
2004348527.tif 000006
【図５】
2004348527.tif 000007
【図６】
2004348527.tif 000008